(57)【特許請求の範囲】
【請求項１】
第１の無線通信装置と第２の無線通信装置との間で通信時間フレーム毎に無線通信を行う無線通信方法であって、
前記第１の無線通信装置から前記第２の無線通信装置へ、複数の通信時間フレームからなる１単位毎に１つの情報パケットデータを対応させて、当該情報パケットデータを分割して当該通信時間フレーム毎に伝送するステップと、
前記伝送時に、前記１単位のうちの一部の通信時間フレームに対応する分割パケットデータが欠損した場合には、当該欠損した分割パケットデータを再送しないよう制御するステップと、
を含むことを特徴とする無線通信方法。
【請求項２】
前記伝送時に、前記１単位のうちの一部の通信時間フレームに対応する分割パケットデータが欠損した場合には、前記第２の無線通信装置は、当該１単位のうちの残りの通信時間フレームに対応する全ての分割パケットデータを破棄することを特徴とする請求項１に記載の無線通信方法。
【請求項３】
前記情報パケットデータの伝送よりも前に行われるネゴシエーションにより、前記第１の無線通信装置と前記第２の無線通信装置との間で、前記１単位を構成する通信時間フレームの数を決定するステップを更に含むことを特徴とする請求項１又は２に記載の無線通信方法。
【請求項４】
前記伝送するステップにおいて、前記情報パケットデータが必要とする帯域に応じた変調クラスによって伝送することを特徴とする請求項１〜３のいずれか１項に記載の無線通信方法。
【請求項５】
他の無線通信装置との間で通信時間フレーム毎に無線通信を行う無線通信装置であって、
複数の通信時間フレームからなる１単位毎に１つの情報パケットデータを対応させて、当該通信時間フレーム毎に伝送される分割パケットデータを受信する手段と、
前記受信時に、前記１単位のうちの一部の通信時間フレームに対応する分割パケットデータが欠損している場合には、当該１単位のうちの残りの通信時間フレームに対応する全ての分割パケットデータを破棄する手段と、
を備えることを特徴とする無線通信装置。
【請求項６】
他の無線通信装置との間で通信時間フレーム毎に無線通信を行う無線通信装置であって、
複数の通信時間フレームからなる１単位毎に１つの情報パケットデータを対応させて、当該情報パケットデータを分割して当該通信時間フレーム毎に伝送する伝送部と、
前記伝送時に、前記１単位のうちの一部の通信時間フレームに対応する分割データが欠損した場合には、当該欠損した分割データを再送しないよう制御する制御部と、
を備えることを特徴とする無線通信装置。
【発明の詳細な説明】
【技術分野】
【０００１】
本発明は、通信方法、通信システム及び無線通信装置に関する。
【背景技術】
【０００２】
従来、ＰＨＳ型電話機のように、ＴＤＭＡ−ＴＤＤ方式を適用した携帯型無線電話機では、ＡＲＩＢ  ＳＴＤ−２８等に記載されているように、一つのＴＤＭＡ−ＴＤＤフレームに音声データの１単位を乗せている（例えば、非特許文献１参照）。ＰＨＳ型電話機における音声データには音声ＣＯＤＥＣペイロードが直接格納されており、ＩＰパケットにおけるヘッダー等のオーバーヘッドが無い代わりに、単一のＴＤＭＡ−ＴＤＤフレームに格納されることが前提となる。このとき、図１０に示すように、無線状況が悪化してＴＤＭＡ−ＴＤＤバーストが欠損した場合は、単に当該ＴＤＭＡ−ＴＤＤフレームに含まれるデータが伝達されないだけで、再送は行われない。
【０００３】
一方、ＴＤＭＡバーストを直接のベアラチャネルに用いず、リンク層に該当するチャネルをサポートする方式では、ＴＤＭＡ−ＴＤＤバーストにおけるデータペイロードを連続して使用してリンク層に該当するベアラチャネルを形成する。これもＡＲＩＢ  ＳＴＤ−２８におけるＰＩＡＦＳで用いられる一般的な技術となる。
【０００４】
従来技術における通信システムは、図１１に示すように、ＳＩＰ電話機Ａ１１０ａと、無線端末１２０と、無線基地局１３０と、ＰＤＳＮ１４０と、電話機Ｂ１１０ｂとを備える。無線端末２０は、無線基地局３０とデジタル無線接続により接続し、ＴＤＭＡ−ＴＤＤフレームを用いて、ＴＤＭＡ−ＴＤＤバーストデータのやりとりを行う。又、無線端末１２０は、ＰＰＰパケットバッファ１２１と、ＭＡＣ／ＡＲＱ１２４と、ＬＡＣ１２３とを備える。ＭＡＣ／ＡＲＱ（Automatic Repeat Request:自動再送制御）１２４は、パケットデータを複数のＴＤＭＡ−ＴＤＤフレームに分割し、送信する。そして、無線基地局１３０のＭＡＣ／ＡＲＱ１３４は、受信したパケットデータを再構築する。このようなシステムでは、通常、任意のＴＤＭＡ−ＴＤＤバーストが運搬する上位データの関連を予測することは難しく、場合によっては著しく運搬が遅延することもあり得る。
【０００５】
図１２に、従来技術における送信パケットの分解例を示す。図１２に示すように、送信パケットは断片化したＭＡＣパケットに分割されるが、この分割は、ＴＤＭＡ−ＴＤＤ上での運搬可能なペイロードサイズの都合で行われ、先行する上位パケットと後続するパケットとが混入することとなる。このような理由で、ＭＡＣパケットの状態でのパケット紛失は、データ伝送上致命的な問題を引き起こすこととなる。
【０００６】
よって、このようなシステムでは、図１３に示すように、無線状況が悪化してＴＤＭＡ−ＴＤＤバーストが欠損した場合、Ｌ２におけるＡＲＱ再送処理により伝達されなかったデータが伝送され、確実にピアに伝達される。このように、エア上でデータが紛失した場合でも確実に再送を行い、確実にデータの伝送を行う。
【非特許文献１】http://www.phsmou.or.jp/resources/technicaldocs.aspx
【発明の開示】
【発明が解決しようとする課題】
【０００７】
昨今、インターネットプロトコルを用いたＶｏＩＰ通話が盛んになってきているが、ＶｏＩＰ通話における音声パケットは伝達確実性よりも、到着の実時間性がより重視される。予定時間よりも遅延した音声データは、再生する機会を失い、再生機によって廃棄されることとなる。逆に、伝達されない音声パケットは、過去の音声再生の実績から予想された音声を再生することにより、音声品質の主観的な評価があまり下がらないように工夫されている。
【０００８】
このような理由により伝達確実性を上げるために、下位層による再送等の努力を行うことが、結果的に到着時間の遅延につながっている。伝達の遅延は、主に無線環境が悪化してＴＤＭＡ−ＴＤＤバーストの欠損が多く発生する環境で顕著になってくる。
【０００９】
又、一般に無線によるデジタル通信方式でのＴＤＭＡ−ＴＤＤバーストは、有線での方式に比べて運搬できるペイロードサイズが非常に小さい特徴を持つ。昨今、大きなｍ値を持つＱＡＭ方式が実用化されてきているため、必ずしも音声ＣＯＤＥＣペイロードサイズに対して、ＴＤＭＡ−ＴＤＤバーストのペイロードサイズが小さすぎるとは言えなくなってきているが、帯域の広い変調方式やチャネルコーディング方式は、ＳＩＮＲ劣化に対して脆弱であることが知られており、ＢＰＳＫやＱＰＳＫ等の帯域は狭いがＳＩＮＲ劣化に対して耐性を持つ変調方式をＶｏＩＰ通話等の音声伝達手段に使用し、音声の主観的評価を維持したい場合は、依然として存在する。
【００１０】
ＶｏＩＰにおける音声ペイロードの１単位は、Ｇ７２９Ａ（８ｋｂｐｓ）の２ＣＯＤＥＣペイロードを一つのＩＰパケットに乗せた場合、２０ｍｓｅｃ毎に２０バイトとなり、ＭＡＣ層によるオーバーヘッドを加味して概ね２７ｋｂｐｓとなる。ＰＨＳの場合、ＴＤＭＡ−ＴＤＤフレームは５ｍｓｅｃであり、ＰＨＳのＰＩＡＦＳ方式による実効スループットは概ね２９ｋｂｐｓとなる。計算上は、５ｍｓｅｃ毎のＴＤＭＡ−ＴＤＤフレーム４つで一つの音声パケットを運搬することにより、ＰＨＳのＰＩＡＦＳ方式で、Ｇ７２９Ａ（８ｋｂｐｓ）は透過できることになるが、上記再送処理が入るため、パケット到着に大きな遅延やジッタが発生することとなり、通話を行うことができない。
【００１１】
そこで、本発明は、上記の問題に鑑み、大きな遅延やジッタが発生することなく、かつ、パケットデータが欠損しても、確実に実時間で受信することができる通信方法、通信システム及び無線通信装置を提供することを目的とする。
【課題を解決するための手段】
【００１２】
上記目的を達成するため、本発明の第１の特徴は、第１の無線通信装置と第２の無線通信装置との間で通信時間フレーム毎に無線通信を行う無線通信方法であって、前記第１の無線通信装置から前記第２の無線通信装置へ、複数の通信時間フレームからなる１単位毎に１つの情報パケットデータを対応させて、当該情報パケットデータを分割して当該通信時間フレーム毎に伝送するステップと、前記伝送時に、前記１単位のうちの一部の通信時間フレームに対応する分割パケットデータが欠損した場合には、当該欠損した分割パケットデータを再送しないよう制御するステップと、を含む無線通信方法であることを要旨とする。
【００１３】
第１の特徴に係る無線通信方法によると、大きな遅延やジッタが発生することなく、かつ、パケットデータが欠損しても、確実に実時間で受信することができる。
【００１４】
又、第１の特徴に係る無線通信方法において、前記伝送時に、前記１単位のうちの一部の通信時間フレームに対応する分割パケットデータが欠損した場合には、前記第２の無線通信装置は、当該１単位のうちの残りの通信時間フレームに対応する全ての分割パケットデータを破棄してもよい。
【００１６】
又、上記の無線通信方法において、前記情報パケットデータの伝送よりも前に行われるネゴシエーションにより、前記第１の無線通信装置と前記第２の無線通信装置との間で、前記１単位を構成する通信時間フレームの数を決定するステップを更に含んでもよい。
【００１７】
この無線通信方法によると、一般に音声ＣＯＤＥＣの種類に応じてパケット発生間隔が異なるが、１単位とする通信時間フレーム数を変更することができるため、情報パケットデータに応じて通信時間フレーム数を調整することができる。
【００１８】
又、第１の特徴に係る通信方法の伝送するステップにおいて、情報パケットデータが必要とする帯域に応じた変調クラスによって伝送してもよい。
【００１９】
この通信方法によると、パケットデータを送信する帯域を保証することができ、音声ＣＯＤＥＣを選択できるＶｏＩＰ通信機器を実現できる。
【００２０】
本発明の第２の特徴は、他の無線通信装置との間で通信時間フレーム毎に無線通信を行う無線通信装置であって、複数の通信時間フレームからなる１単位毎に１つの情報パケットデータを対応させて、当該通信時間フレーム毎に伝送される分割パケットデータを受信する手段と、前記受信時に、前記１単位のうちの一部の通信時間フレームに対応する分割パケットデータが欠損している場合には、当該１単位のうちの残りの通信時間フレームに対応する全ての分割パケットデータを破棄する手段と、を備える無線通信装置であることを要旨とする。
【００２１】
第２の特徴に係る無線通信装置によると、大きな遅延やジッタが発生することなく、かつ、パケットデータが欠損しても、確実に実時間で受信することができる。
【００２２】
本発明の第３の特徴は、他の無線通信装置との間で通信時間フレーム毎に無線通信を行う無線通信装置であって、複数の通信時間フレームからなる１単位毎に１つの情報パケットデータを対応させて、当該情報パケットデータを分割して当該通信時間フレーム毎に伝送する伝送部と、前記伝送時に、前記１単位のうちの一部の通信時間フレームに対応する分割データが欠損した場合には、当該欠損した分割データを再送しないよう制御する制御部と、を備える無線通信装置であることを要旨とする。
【００２３】
第３の特徴に係る無線通信装置によると、大きな遅延やジッタが発生することなく、かつ、パケットデータが欠損しても、確実に実時間で受信することができる。
【発明の効果】
【００２４】
本発明によると、大きな遅延やジッタが発生することなく、かつ、パケットデータが欠損しても、確実に実時間で受信することができる通信方法、通信システム及び無線通信装置を提供することができる。
【発明を実施するための最良の形態】
【００２５】
次に、図面を参照して、本発明の実施の形態を説明する。以下の図面の記載において、同一又は類似の部分には、同一又は類似の符号を付している。ただし、図面は模式的なものであることに留意すべきである。
【００２６】
（通信システム）
本実施形態に係る通信システムは、図１に示すように、ＳＩＰ電話機Ａ１０ａと、無線端末２０と、無線基地局３０と、ＰＤＳＮ４０と、インターネット５０と、ＳＩＰサーバ６０と、電話機Ｂ１０ｂとを備える。又、本実施形態に係る通信システムは、時分割多元接続方式及び時分割双方向伝送方式（ＴＤＭＡ−ＴＤＤ方式）を適用して、通信を行う。
【００２７】
ＳＩＰ電話機Ａ１０ａ及びＳＩＰ電話機Ｂ１０ｂは、イーサネット（登録商標）機器であり、ＰＰＰｏＥプロトコルに対応している。又、ＳＩＰ電話機Ａ１０ａは、図２に示すように、ＣＯＤＥＣ１１ａと、ＰＰＰ１２ａとを備える。
【００２８】
ＣＯＤＥＣ１１ａは、アナログ信号をデジタルデータに変換したり、その逆を行ったりする。又、ＣＯＤＥＣ１１ａは、信号やデータを一定の規則に従って符号化／復号化する。
【００２９】
ＰＰＰ１２ａは、電話回線を通じたダイヤルアップ接続において、ＳＩＰ電話機Ａ１０ａをネットワークに接続する。又、ＰＰＰ１２ａは、ＯＳＩ参照モデルのデータリンク層（リンクレイヤーチャネル）を用いて、接続を行う。
【００３０】
無線端末２０は、無線基地局３０とデジタル無線接続により接続し、ＴＤＭＡ−ＴＤＤフレームを用いて、情報パケットデータのやりとりを行う。図３に、ＴＤＭＡ−ＴＤＤフレームの内容を示す。ＴＤＭＡ−ＴＤＤフレームは、上り同期スロット、上り制御リンクスロット、上りデータＭＡＣチャネルスロット、下り同期スロット、下り制御リンクスロット、下りデータＭＡＣチャネルスロットから構成される。又、無線端末２０は、ＰＰＰｏＥ接続が可能で、専用のＲＪ４５コネクタでＳＩＰ電話機Ａ１０ａと接続する。更に、無線端末２０は、ＳＩＰ電話機Ａ１０ａからの要求により無線基地局３０と無線接続を行い、ＰＤＳＮ４０との間でＰＰＰセッションを確立する。
【００３１】
無線端末２０は、図２に示すように、ＰＰＰパケットバッファ２１と、ＰＰＰパケットシェイパー２２（伝送部、制御部）と、ＬＡＣ２３とを備える。図１１に示す従来システムとは、ＭＡＣ／ＡＲＱ１２４ではなく、ＰＰＰパケットシェイパー２２を備えるところが大きく異なる。
【００３２】
ＰＰＰパケットバッファ２１は、ＰＰＰセッションにおいて伝送された情報パケットデータを保持する。
【００３３】
ＰＰＰパケットシェイパー２２は、後に詳述するように、１単位の情報パケットデータを、複数のＴＤＭＡ−ＴＤＤフレーム（断片化されたＭＡＣパケット）に分割し、ＬＡＣ２３を介して伝送する。又、ＰＰＰパケットシェイパー２２は、当該伝送時に、複数のＴＤＭＡ−ＴＤＤフレームのうちの一部のフレームが欠損した場合には、欠損したフレームに対応する分割された情報パケットデータを再送しないよう制御する。
【００３４】
又、ＰＰＰパケットシェイパー２２は、無線基地局３０との間で、ＴＤＭＡ−ＴＤＤフレームの数を決定する。
【００３５】
ＬＡＣ（L2TP Access Concentrator）２３は、レイヤ２(データリンク層)でトンネリングを実現するＬ２ＴＰにおいて、複数のＴＤＭＡ−ＴＤＤフレームに分割された情報パケットデータを伝送する。具体的には、無線端末２０のＬＡＣ２３と無線基地局３０のＬＡＣ３１間では、制御チャネル及びデータＭＡＣチャネルを用いて、情報パケットデータを送信する。
【００３６】
又、ＬＡＣ２３は、情報パケットデータが必要とする帯域に応じた変調クラスによって、情報パケットデータを送信する。ここで、変調クラスとは、図５に示すように、変調方式とチャネルコーディング方式との組み合わせである。
【００３７】
無線基地局３０は、無線端末２０とデジタル無線接続により接続し、ＴＤＭＡ−ＴＤＤフレームを用いて、情報パケットデータのやりとりを行う。無線基地局３０は、図２に示すように、ＬＡＣ３１と、ＰＰＰパケットシェイパー３２と、ＰＰＰパケットバッファ３３とを備える。
【００３８】
ＬＡＣ３１は、レイヤ２(データリンク層)でトンネリングを実現するＬ２ＴＰにおいて、データの送受信を制御する。
【００３９】
ＰＰＰパケットシェイパー３２は、後に詳述するように、ＴＤＭＡ−ＴＤＤフレームに同期して受信を行い、断片化されたＭＡＣパケットからＰＰＰパケットを組み立てる。又、ＰＰＰパケットシェイパー３２は、無線端末２０から無線基地局３０へ送信される際に、ＭＡＣパケットの一部が届かなかった場合、受信できなかったＭＡＣパケットを含む情報パケットデータ全体を破棄する。
【００４０】
ＰＰＰパケットバッファ３３は、ＰＰＰパケットシェイパー３２によって組み立てられたＰＰＰパケットを保持する。
【００４１】
ＰＤＳＮ４０は、インターネット５０に接続されており、インターネット５０上のＳＩＰ電話機Ｂ１０ｂと無線基地局３０との通信を仲介する。
【００４２】
ＳＩＰサーバ６０は、無線端末２０からの接続要求に応じ、ＳＩＰ電話機Ａ１０ａ及びＳＩＰ電話機Ｂ１０ｂの呼制御を行う。
【００４３】
（通信方法）
次に、本実施形態に係る通信方法について、図４を用いて説明する。ここでは、ＳＩＰ電話機Ａ１０ａからＳＩＰ電話機Ｂ１０ｂへ情報パケットデータを送信する場合を例にとり説明する。
【００４４】
まず、ユーザーによりＳＩＰ電話Ａ１０ａがオフフックされ（Ｓ１０１）、ＳＩＰ電話Ｂ１０ｂを示す番号をダイヤルすることにより、無線端末２０との間にＰＰＰｏＥコネクションを形成する（Ｓ１０２）。
【００４５】
次に、無線端末２０は、無線基地局３０へ制御チャネル要求を送信し（Ｓ１０３）、無線端末２０と無線基地局３０間の制御チャネルを確立する（Ｓ１０４）。
【００４６】
無線端末２０は、制御チャネル上のメッセージを用いて、無線基地局３０との間に帯域幅と１単位を構成するＴＤＭＡ−ＴＤＤフレーム数とのネゴシエーションを行う（Ｓ１０５〜１０８）。そして、無線端末２０は無線基地局３０へ、ネゴシエーションに従ってデータＭＡＣチャネル要求を送信し（Ｓ１０９）、無線端末２０と無線基地局３０間でデータＭＡＣチャネル要求を確立する（Ｓ１１２）。この例では、ネゴシエーションされた帯域幅は９６ｋｂｐｓ指定であり、１単位を構成するＴＤＭＡ−ＴＤＤフレーム数は指定無しとする。無線端末２０及び無線基地局３０は、図５に示す変調クラス毎のチャネルコーディング方式（Bits/Sym）、変調方式、スループットを定める変調クラス表を参照し、ここでは、変調クラス４で示される変調方式及びチャネルコーディング方式でデータＭＡＣチャネルを形成することを決定し、制御を行う。又、１単位を構成するＴＤＭＡ−ＴＤＤフレーム数を指定無しとすることにより、従来でのＡＲＱ再送を行う伝送手段となり、ＰＰＰネゴシエーションがパケットの欠損無しで実行される。
【００４７】
上記の処理と平行して無線基地局３０は、ＰＤＳＮ４０へリンクチャネル要求を送信し（Ｓ１１０）、無線基地局３０とＰＤＳＮ４０間でリンクチャネルを確立する（Ｓ１１１）。
【００４８】
以上の処理の終了後、ＳＩＰ電話Ａ１０ａとＰＤＳＮ４０間でリンクチャネルを確立し（Ｓ１１３）、ＰＰＰコネクションを確立させる（Ｓ１１４及びＳ１１２）とともに、グローバルＩＰアドレスを取得する。以上のシーケンスで、ＳＩＰ電話Ａ１０ａは、インターネットとの接続が可能となる。
【００４９】
次に、ＳＩＰ電話Ａ１０ａは、ＳＩＰサーバ６０に対してＳＩＰ電話Ｂ１０ｂに対する呼確立シーケンスを実行する（Ｓ１１６）。又、ＳＩＰサーバ６０は、ＳＩＰ電話Ｂ１０ｂを探索し、ＳＩＰ電話Ｂに対して呼確立シーケンスを実行する（Ｓ１１７）。このようにして、ＳＩＰ電話Ａ１０ａとＳＩＰ電話Ｂ１０ｂは呼び出し状態になる（Ｓ１１８）。そして、ＳＩＰ電話Ｂ１０ｂのオフフックにより、ＳＩＰ制御信号を送受信し（Ｓ１２０及びＳ１２１）、メディアセッションが確立する（Ｓ１２２）。そして、ＳＩＰ電話機Ａ１０ａからＳＩＰ電話機Ｂ１０ｂへ音声パケットが送信され、通話状態に遷移する（Ｓ１２２）。
【００５０】
ここで、無線端末２０は、最初の音声パケットを認識した際、制御チャネル上のメッセージを用いて無線基地局３０との間に帯域幅と１単位を構成するＴＤＭＡ−ＴＤＤフレーム数とのネゴシエーションを行う（Ｓ１２４〜Ｓ１２７）。無線基地局３０と無線端末２０は、ネゴシエーションに従ってデータＭＡＣチャネルの性質を変更する。この例では、ネゴシエーションされた帯域幅は３２ｋｂｐｓに指定し、１単位を構成するＴＤＭＡ−ＴＤＤフレーム数は４に指定する。無線基地局３０及び無線端末２０は、図５に示す変調クラス表を参照し、表中、最も高速な、変調クラス１で示される変調方式及びチャネルコーディング方式でデータＭＡＣチャネルを形成することを決定し、制御を行う。そして、変調クラス１において、ＳＩＰ電話機Ａ１０ａからＳＩＰ電話機Ｂ１０ｂへ音声パケットが送信される（Ｓ１２８）。
【００５１】
通話状態において、ＳＩＰ電話機Ａ１０ａとＳＩＰ電話機Ｂ１０ｂの間では、音声パケットの交換が行われ続ける。音声パケットは、図６で示す経路及びパケット変遷過程を経る。音声ＣＯＤＥＣにＧ７２９Ａ(８Ｋｂｐｓ)を用い、２ＣＯＤＥＣペイロードを一つのＩＰパケットに乗せる設定の場合、無線端末２０と無線基地局３０との間でのパケットサイズは概ね６５バイト相当となり２０ｍｓｅｃ毎にパケットがＳＩＰ電話機Ａ１０ａから無線端末２０に送信されることとなり、スループットは概ね２８Ｋｂｐｓとなる。よって先に、無線端末２０と無線基地局３０の間でネゴシエーションされた帯域幅で十分であり、１単位を構成するＴＤＭＡ−ＴＤＤフレーム数による時間は２０ｍｓｅｃとなるので速度的にも適切となる。
【００５２】
又、通話状態における無線端末２０での、送信時パケット処理例を図７に示す。まずＳＩＰ電話機Ａ１０ａから無線端末２０に送信されるパケットにはイーサネットヘッダーとＰＰＰｏＥヘッダーが付与されているのでこれを削除する。その後、ＰＰＰヘッダーの必要な部分とペイロードのサイズを用いてＭＡＣヘッダーを作成する。この時、１単位を構成するＴＤＭＡ−ＴＤＤフレーム数で運搬可能なペイロードサイズに合わせるため、末尾にパディングを行う。その後、１単位を構成するＴＤＭＡ−ＴＤＤフレーム数で均等に分割し、断片化されたＭＡＣパケットを作成する。
【００５３】
次に、通話状態における無線端末２０と無線基地局３０間での情報パケットデータ伝達過程を、図８を用いて説明する。ＳＩＰ電話機Ａ１０ａから無線端末２０に到着する情報パケットデータは、ジッタを持つ可能性がある。到着した情報パケットデータは、一旦ＰＰＰパケットバッファ２１に格納される。その後、パケットシェイパー２２の作るタイミングに同期して取り出され、断片化されたＭＡＣパケットに分割される。断片化されたＭＡＣパケットはＴＤＭＡ−ＴＤＤのフレームタイミングに同期して順番に無線基地局３０に対して送信される。尚、ＭＡＣパケットの先頭となる断片化されたＭＡＣパケットは、データＭＡＣチャネルが確立した最初のフレームを０とするフレームシーケンス番号に対して、１単位を構成するＴＤＭＡ−ＴＤＤフレーム数のモジュロが０であるフレーム番号で送信を開始する。このことにより、送信側と受信側でＭＡＣパケットの先頭に対する認識をあわせることができる。無線基地局３０のＰＰＰパケットシェイパー３２は、ＴＤＭＡ−ＴＤＤフレームに同期して受信を行い、ＭＡＣヘッダーの情報を元にＰＰＰパケットを組み立ててゆく。その後、ＰＤＳＮ４０に対してＰＰＰパケットを送信する。
【００５４】
ここで、もし、情報パケットデータがエア上で欠損し、ＭＡＣパケットの一部がピアに届かなかった場合は、そのＭＡＣパケットを含む情報パケットデータ全体を破棄する。このときの情報パケットデータ伝達過程を図９に示す。無線端末２０から無線基地局３０へ送信される際に、ＭＡＣパケットの一部が届かなかった場合（図９における×）、ＰＰＰパケットシェイパー３２は、受信できなかったＭＡＣパケットを含む情報パケットデータ全体を破棄し、ＰＤＳＮ４０に対して送信を行わない。このようにして、情報パケットデータの欠損と引き換えに、情報パケットデータが実時間で到着することを保証する。
【００５５】
（作用及び効果）
本実施形態に係る通信システム及び通信方法によると、１単位の情報パケットデータを、複数の通信フレーム（ＴＤＭＡ−ＴＤＤフレーム）に分割して伝送し、欠損した通信フレームに対応する分割された情報パケットデータを再送しないため、大きな遅延やジッタが発生することなく、かつ、パケットデータが欠損しても、確実に実時間で受信することができる。
【００５６】
具体的には、複数のＴＤＭＡ−ＴＤＤフレームを１単位として情報パケットデータ（ＩＰパケット）に対応させることにより、ＭＡＣ層でのオーバーヘッドを減らすことができる。
【００５７】
又、複数のＴＤＭＡ−ＴＤＤフレームを１単位として、構成するフレームの任意のＴＤＭＡ−ＴＤＤフレームが欠損した場合、この１単位全体を無効にすることにより、運搬できない情報パケットデータを、前後する情報パケットデータとは無関係に廃棄することができる。この結果、次の１単位には、次の情報パケットデータを運搬することができ、結果的に無線状況の悪化時、情報パケットデータの欠損と引き換えに、情報パケットデータの実時間到着性を保証することができる。
【００５８】
又、音声に関するデータは、特に実時間で受信することが重要であるため、本実施形態に係る通信方法を用いることが有効である。
【００５９】
又、本実施形態では、無線端末２０と無線基地局３０との間で、ＴＤＭＡ−ＴＤＤフレームの数を決定することができる。一般に音声ＣＯＤＥＣの種類に応じてパケット発生間隔が異なるが、本実施形態に係る通信システム及び通信方法によると、１単位とする通信フレーム数を変更することができるため、情報パケットデータに応じて通信フレーム数を調整することができる。
【００６０】
又、本実施形態では、運搬するべき情報パケットデータのサイズに見合った変調クラスを選択することにより、情報パケットデータを送信する帯域を保証することができ、音声ＣＯＤＥＣを選択できるＶｏＩＰ通信機器を実現できる。即ち、無線状況が悪い場合は、ＱＰＳＫ変調方式を選択することにより３２ｋｂｐｓを確保し、Ｇ７２９Ａ（８ｋｂｐｓ）を選択して必要十分な音声品質の通話を実現し、無線状況が良好となった場合は、１６ＱＡＭ変調方式を選択することにより６４ｋｂｐｓを確保し、Ｇ７２６（３２ｋｂｐｓ）を用いた高い音声品質の通話を実現することができる。
【００６１】
更に、本実施形態に係る通信システム及び通信方法によると、ジッタを整形する効果があり、ＶｏＩＰ通信における音声品質の主観的評価を高めることができる。
【００６２】
（その他の実施形態）
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
【００６３】
例えば、上述した実施形態において、ＴＤＭＡ−ＴＤＤ方式を適用した通信システムを例に挙げ説明を行ったが、ＴＤＭＡを適用したシステムで一般に使用できる。例えば、ＴＤＭＡ−ＦＤＤ方式を適用したシステムにも適用可能である。
【００６４】
更に、本実施形態では、本発明に係る送信側の無線通信装置として、無線端末２０を例に挙げ説明したが、送信側の無線通信装置は無線基地局３０でもよく、他の装置でも構わない。
【００６５】
このように、本発明はここでは記載していない様々な実施の形態等を含むことは勿論である。従って、本発明の技術的範囲は上記の説明から妥当な特許請求の範囲に係る発明特定事項によってのみ定められるものである。
【図面の簡単な説明】
【００６６】
【図１】本実施形態に係る通信システムのブロック構成図である（その１）。
【図２】本実施形態に係る通信システムのブロック構成図である（その２）。
【図３】本実施形態に係るＴＤＭＡ−ＴＤＤフレームの構成を示す図である。
【図４】本実施形態に係る通信方法を示すシーケンス図である。
【図５】本実施形態に係る変調クラスの一例である。
【図６】本実施形態に係るプロトコルスタックの変遷例である。
【図７】本実施形態に係る送信時のパケット処理例である。
【図８】本実施形態に係るパケットデータの伝達過程を示す図である（その１）。
【図９】本実施形態に係るパケットデータの伝達過程を示す図である（その２）。
【図１０】従来のパケットデータの伝達過程を示す図である。
【図１１】従来の通信システムのブロック構成図である。
【図１２】従来の送信時のパケット処理例である。
【図１３】従来のパケットデータの伝達過程を示す図である。
【符号の説明】
【００６７】
１０ａ、１０ｂ、１１０ａ、１１０ｂ…ＳＩＰ電話機
１１ａ、１１１ａ、１１ｂ、１１１ｂ…ＣＯＤＥＣ
１２ａ、１１２ａ…ＰＰＰ
２０、１２０…無線端末
２１、１２１…ＰＰＰパケットバッファ
２２…ＰＰＰパケットシェイパー
２３、１２３…ＬＡＣ
３０、１３０…無線基地局
３１、１３１…ＬＡＣ
３２…ＰＰＰパケットシェイパー
３３、１３３…ＰＰＰパケットバッファ
４０、１４０…ＰＤＳＮ
５０…インターネット
６０…ＳＩＰサーバ
１２４、１３４…ＭＡＣ／ＡＲＱ
【図１】
0004806297.tif 000002
【図２】
0004806297.tif 000003
【図３】
0004806297.tif 000004
【図４】
0004806297.tif 000005
【図５】
0004806297.tif 000006
【図６】
0004806297.tif 000007
【図７】
0004806297.tif 000008
【図８】
0004806297.tif 000009
【図９】
0004806297.tif 000010
【図１０】
0004806297.tif 000011
【図１１】
0004806297.tif 000012
【図１２】
0004806297.tif 000013
【図１３】
0004806297.tif 000014